(57)【特許請求の範囲】
【請求項１】
第１の側に向かって配置された被覆対象部分を有するケース部材と、
前記被覆対象部分を覆うように取り付けられる蓋部とを備え、
前記蓋部は、互いに反対側である第１の端部および第２の端部を有する蓋部本体と、前記蓋部本体の前記第１の端部から延在して前記ケース部材に係合するフック部とを備え、
前記ケース部材は、前記フック部を収容するためのフック収容部を有し、
前記フック部は、前記第２の端部に向かう側である第２の側を向いて延在するフック部先端部を有し、
前記ケース部材は、前記フック部を前記フック収容部に収容したときに、前記フック部先端部と係合するケース第１部分を含み、
前記フック部先端部と前記ケース第１部分との係合は、前記第１の側に向かう直線に対して、前記第１の側から遠ざかるほど前記第２の側に近づくように傾いている、前記ケース第１部分の斜面で当接することによって行なわれ、
前記フック部先端部の、前記ケース第１部分の前記斜面と当接する部分は、前記第１の側に向かう直線に対して、前記第１の側から遠ざかるほど前記第２の側に近づくように傾いていない、電子機器。
【請求項２】
第１の側に向かって配置された被覆対象部分を有するケース部材と、
前記被覆対象部分を覆うように取り付けられる蓋部とを備え、
前記蓋部は、互いに反対側である第１の端部および第２の端部を有する蓋部本体と、前記蓋部本体の前記第１の端部から延在して前記ケース部材に係合するフック部とを備え、
前記ケース部材は、前記フック部を収容するためのフック収容部を有し、
前記フック部は、前記第２の端部に向かう側である第２の側を向いて延在するフック部先端部を有し、
前記ケース部材は、前記フック部を前記フック収容部に収容したときに、前記フック部先端部と係合するケース第１部分を含み、
前記フック部先端部と前記ケース第１部分との係合は、前記第１の側に向かう直線に対して、前記第１の側から遠ざかるほど前記第２の側に近づくように傾いている、前記フック部先端部の斜面で当接することによって行なわれ、
前記ケース第１部分の、前記フック部先端部の前記斜面と当接する部分は、前記第１の側に向かう直線に対して、前記第１の側から遠ざかるほど前記第２の側に近づくように傾いていない、電子機器。
【請求項３】
前記フック部先端部の、前記ケース第１部分の前記斜面と当接する前記部分は、尖った先端または丸みを帯びた先端である、請求項１に記載の電子機器。
【請求項４】
前記ケース第１部分の、前記フック部先端部の前記斜面と当接する部分は、尖った先端または丸みを帯びた先端である、請求項２に記載の電子機器。
【請求項５】
前記蓋部は、前記第２の端部に、作業者が前記蓋部を開ける向きの力を加えるための起点部を有する、請求項１から４のいずれかに記載の電子機器。
【請求項６】
前記蓋部は、前記起点部に切欠きを有する、請求項５に記載の電子機器。
【請求項７】
前記斜面は、前記第１の端部を支点に前記第２の端部を前記ケース部材から引き離すように前記蓋部を回動させるときに、前記フック部先端部が前記ケース第１部分に対して引っ掛かることなく逃げることができるように配置されている、請求項１から６のいずれかに記載の電子機器。
【請求項８】
前記蓋部本体は、平面視したときに長手方向を有する形状を有し、
前記蓋部本体において前記長手方向に平行な中心線を想定したとき、前記第１の端部は、前記中心線に近づくにつれて前記ケース部材から遠ざかるように傾斜する蓋部斜面を含み、前記フック部は前記蓋部斜面に配置されており、前記フック部先端部は前記中心線の側を向くように延在している、請求項１から７のいずれかに記載の電子機器。
【発明の詳細な説明】
【技術分野】
【０００１】
本開示は、電子機器に関するものである。
【背景技術】
【０００２】
防水性を有する携帯電話などの電子機器には、電池のための収容部が設けられ、この収容部が電池蓋によって塞がれる構造のものがある。このような電池蓋の構造の例が、特開２００９−２９０８３２号公報（特許文献１）に記載されている。
【先行技術文献】
【特許文献】
【０００３】
【特許文献１】特開２００９−２９０８３２号公報
【発明の概要】
【発明が解決しようとする課題】
【０００４】
特許文献１に記載された構造においては、ケース側の溝に差し込むために、電池蓋の端部に差込み片が設けられている。しかし、作業者が開閉操作を行なった際に、このような差込み片が引っ掛かって開閉がしにくくなる場合がありうる。さらに、引っ掛かった状態で無理に動かすことで、差込み片が折れるおそれもある。
【０００５】
そこで、本開示は、蓋部を開閉する際に、蓋部に設けられた係合のためのフック部が引っ掛かりにくく、折れにくい構造の電子機器を提供することを目的とする。
【課題を解決するための手段】
【０００６】
上記目的を達成するため、本開示に基づく電子機器は、第１の側に向かって配置された被覆対象部分を有するケース部材と、上記被覆対象部分を覆うように取り付けられる蓋部とを備え、上記蓋部は、互いに反対側である第１の端部および第２の端部を有する蓋部本体と、上記蓋部本体の前記第１の端部から延在して上記ケース部材に係合するフック部とを備え、上記ケース部材は、上記フック部を収容するためのフック収容部を有し、上記フック部は、上記第２の端部に向かう側である第２の側を向いて延在するフック部先端部を有し、上記ケース部材は、上記フック部を上記フック収容部に収容したときに、上記フック部先端部と係合するケース第１部分を含み、上記フック部先端部と上記ケース第１部分との係合は、両者のうちの少なくとも一方が、上記第１の側に向かう直線に対して、上記第１の側から遠ざかるほど上記第２の側に近づくように傾いている、斜面で当接することによって行なわれる。
【発明の効果】
【０００７】
本開示によれば、蓋部に設けられた係合のためのフック部が引っ掛かりにくく、折れにくい構造の電子機器とすることができる。
【図面の簡単な説明】
【０００８】
【図１】本開示に基づく実施の形態１における電子機器の第１の斜視図である。
【図２】本開示に基づく実施の形態１における電子機器の第２の斜視図である。
【図３】本開示に基づく実施の形態１における電子機器の蓋部を少し開けた状態の斜視図である。
【図４】本開示に基づく実施の形態１における電子機器の蓋部を少し開けた状態の側面図である。
【図５】本開示に基づく実施の形態１における電子機器から蓋部を取り去り、電池を抜き取った状態の平面図である。
【図６】図５におけるＢ部の拡大平面図である。
【図７】本開示に基づく実施の形態１における電子機器に備わる背面ケース部材の斜視図である。
【図８】図７におけるＢ部の拡大斜視図である。
【図９】本開示に基づく実施の形態１における電子機器に備わる蓋部の斜視図である。
【図１０】図９におけるＢ部の拡大斜視図である。
【図１１】本開示に基づく実施の形態１における電子機器に備わる蓋部を裏側から見た平面図である。
【図１２】本開示に基づく実施の形態１における電子機器に備わる蓋部の側面図である。
【図１３】図１１におけるＸＩＩＩ−ＸＩＩＩ線に関する矢視断面図である。
【図１４】図１２の左端部の拡大図である。
【図１５】本開示に基づく実施の形態１における電子機器の、蓋部がケース部材に取り付けられ、フック部がフック収容部に係合している状態のフック部近傍の部分断面図である。
【図１６】本開示に基づく実施の形態２における電子機器の、蓋部がケース部材に取り付けられ、フック部がフック収容部に係合している状態のフック部近傍の部分断面図である。
【発明を実施するための形態】
【０００９】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するものではなく、図示された姿勢の中での相対的な上または下を意味するものである。
【００１０】
ここでいう「作業者」とは、たとえば電子機器のユーザであってもよく、電子機器のメンテナンスを行なう技術者であってもよく、それ以外の何らかの作業者であってもよい。
【００１１】
（実施の形態１）
（構成）
図１〜図１５を参照して、本開示に基づく実施の形態１における電子機器について説明する。本実施の形態における電子機器１０１の外観を図１に示す。ここでは、電子機器１０１は携帯電話であるものとして説明するが、これはあくまで一例であって、電子機器１０１が携帯電話に限られるものではない。電子機器１０１としては、さまざまな種類の機器が想定されうる。
【００１２】
図１に示すように、電子機器１０１は、正面側に表示領域３１を有する。電子機器１０１は、ケース部材２０を備える。ケース部材２０は、背面ケース部材２１と、正面ケース部材２２とを含む。背面ケース部材２１は複数の部品を組み合わせたものであってもよい。正面ケース部材２２についても同様である。
【００１３】
電子機器１０１の背面側が主に見えるような姿勢とした斜視図を図２に示す。背面側の一方の端部にはたとえば撮像部３４が設けられていてもよい。背面ケース部材２１に蓋部３２が組み合わさっている。蓋部３２は、電子機器１０１内部に収容されている電池などを覆うための蓋である。蓋部３２にはボルト３５が付いていてもよい。ボルト３５は、蓋部３２をロックするか否かを決定するためのボルトである。蓋部３２の外周の１ヶ所に切欠き３８が設けられている。ここで示す蓋部３２の外形はあくまで一例であり、このとおりとは限らない。図２に示すように、切欠き３８の形状は台形となっているが、切欠きの形状はこれに限らない。蓋部３２を開けるためには、まずボルト３５を緩めることによってロックを解除する必要がある。その後、切欠き３８に手指の爪などをひっかけて蓋部３２を引き起こせばよい。
【００１４】
電子機器１０１の蓋部３２を少し開けた状態を図３に示す。作業者はこのように蓋部３２の一端を持ち上げることができる。蓋部３２の陰に収容部１０に収められた電池１が見えている。蓋部３２は、突出部分３２ａ，３２ｂを含む。背面ケース部材２１の縁の一部は外枠部５となっている。外枠部５は衝撃を吸収しやすい弾性体で形成されていてもよい。
【００１５】
図３における矢印９１の向きに見たところを図４に示す。蓋部３２は、矢印９２の向きに引き起こされている。収容部１０は第１の側９４に向かって配置されている。蓋部３２の突出部分３２ａの裏側にはフック部３ａが設けられている。蓋部３２の突出部分３２ｂの裏側にはフック部３ｂが設けられている。フック部３ａとフック部３ｂとは、互いに対向するように配置されている。ここでは蓋部３２の端に突出部分３２ａ，３２ｂがある例を示しているが、突出部分３２ａ，３２ｂの存在は必須ではない。フック部３ａ，３ｂは、突出部分３２ａ，３２ｂ以外の場所に設けられていてもよい。実際には、蓋部３２は平坦ではなく湾曲した形状であってもよいが、図４では、説明の便宜のために蓋部３２を平坦なものとして模式的に表示している。ケース部材２０も実際には膨らみを持った形状であってもよいが、図４では、説明の便宜のためにケース部材２０を長方形で模式的に表示している。
【００１６】
電子機器１０１から蓋部３２を取り去り、電池１を抜き取った状態を図５に示す。背面ケース部材２１の中央を占めるように収容部１０が見えている。収容部１０は電池１を収容するための凹部である。図５では、背面ケース部材２１に設けられたボルト受け穴３６が見えている。ボルト受け穴３６はボルト３５（図２または図３参照）が入り込む穴である。ボルト受け穴３６の内部にはナットが埋め込まれている。図５に示すように、Ａ部およびＢ部にはそれぞれフック収容部４ａ，４ｂが設けられている。Ａ部は、蓋部３２の切欠き３８に近い側の隅である。Ｂ部は、蓋部３２の切欠き３８から遠い側の隅である。図３に示したように切欠き３８を用いて蓋部３２を開けたときにはＡ部のフック収容部４ａからはフック部３ａは直ちに離脱するが、Ｂ部のフック収容部４ｂからはフック部３ｂは直ちには離脱しない。図４に示すように、フック部３ｂは少なくとも一部がフック収容部４ｂに収まった状態のまま蓋部３２の回動を許容する。フック部３ｂおよびフック収容部４ｂの組合せは、蓋部３２の回動の際に支点の役割を果たす。Ｂ部を拡大したところを図６に示す。フック収容部４ｂを挟んで互いに対向するように、ケース第１部分４１ｂとケース第２部分４２ｂとが配置されている。
【００１７】
背面ケース部材２１をほぼ単独で取り出したところの斜視図を図７に示す。図７におけるＢ部を拡大したところを図８に示す。
【００１８】
蓋部３２の斜視図を図９に示す。蓋部３２にはボルト３５が取り付けられている。図９におけるＢ部を拡大したところを図１０に示す。蓋部３２をケース部材２０に取り付けた状態では、図１０に示すフック部３ｂが図８に示すフック部収容部４ｂに入り込むこととなる。蓋部３２を裏側から見た平面図を図１１に示す。蓋部３２を、図１１における矢印９３の向きに見たところを図１２に示す。図１１におけるＸＩＩＩ−ＸＩＩＩ線に関する矢視断面図を図１３に示す。図１２における突出部分３２ｂの近傍を拡大したところを図１４に示す。フック部３ｂは、フック部本体３ｂ１とフック部先端部３ｂ２とを含む。
【００１９】
蓋部３２がケース部材２０に取り付けられ、フック部３ｂがフック収容部４ｂに係合している状態のフック部３ｂ近傍の部分断面図を図１５に示す。ケース第１部分４１ｂはフック部３ｂに面する側に張出部４３ｂを有する。張出部４３ｂはケース側斜面４７を有する。ケース側斜面４７は第１の側９４にいくほどケース第１部分４１ｂが大きく張り出すように傾斜した斜面である。
【００２０】
本実施の形態における電子機器は、以下の構成を備える。本実施の形態における電子機器１０１は、第１の側９４に向かって配置された被覆対象部分を有するケース部材２０と、前記被覆対象部分を覆うように取り付けられる蓋部３２とを備える。ここで示した例では、被覆対象部分は収容部１０である。蓋部３２は、互いに反対側である第１の端部および第２の端部を有する蓋部本体と、この蓋部本体の第１の端部から延在してケース部材２０に係合するフック部３ｂとを備える。ケース部材２０は、フック部３ｂを収容するためのフック収容部４ｂを有する。フック部３ｂは、第２の端部に向かう側である第２の側９５を向いて延在するフック部先端部３ｂ２を有する。より詳しくいえば、フック部３ｂは、蓋部本体からフック収容部４ｂの奥に向かって延在するフック部本体３ｂ１を備え、このフック部本体３ｂ１から第２の側９５に向かってフック部先端部３ｂ２が延在している。ケース部材２０は、フック部３ｂをフック収容部４ｂに収容したときに、フック部先端部３ｂ２と係合するケース第１部分４１ｂを含む。フック部先端部３ｂ２とケース第１部分４１ｂとの係合は、両者のうちの少なくとも一方が、第１の側９４に向かう直線に対して、第１の側９４から遠ざかるほど第２の側９５に近づくように傾いている、斜面で当接することによって行なわれる。ここで示した例では、「第１の側９４に向かう直線に対して、第１の側９４から遠ざかるほど第２の側９５に近づくように傾いている、斜面」とは、ケース側斜面４７である。本実施の形態においては、蓋部本体の「第１の端部」とは、たとえば図３に示される蓋部３２において回動の支点となっている側の長辺の近傍部分である。蓋部本体の「第２の端部」とは、たとえば図３に示される蓋部３２において浮き上がっている側の長辺の近傍部分である。したがって、図４では、第１の端部とは蓋部３２の右端部であり、第２の端部とは蓋部３２の左端部である。一方、図１１においては、第１の端部とは蓋部３２の左側の長辺の近傍部分であり、第２の端部とは蓋部３２の右側の長辺の近傍部分である。
【００２１】
（作用・効果）
本実施の形態では、フック部先端部３ｂ２とケース第１部分４１ｂとの係合が所定の斜面で当接することによって行なわれるので、フック部３ｂの第１の側９４への変位は抑止することができる。したがって、蓋部３２が完全に閉じている状態では蓋部３２が第１の側９４へ脱落することは防止できる程度に係合状態が保たれる。一方、作業者が蓋部３２を開ける際には、相互に係合していた部分は前記斜面によって円滑に逃がされ、係合関係は迅速に解除されるので、蓋部に設けられた係合のための突出部分としてのフック部３ｂが引っ掛かりにくく、折れにくい構造とすることができる。
【００２２】
図１５に示すように、前記斜面は、ケース第１部分４１ｂが、フック部先端部３ｂ２に対向する箇所に有するケース側斜面４７であり、フック部先端部３ｂ２とケース第１部分４１ｂとの係合は、フック部先端部３ｂ２がケース側斜面４７に接触することによって行なわれることが好ましい。この例では、フック部先端部３ｂ２がケース側斜面４７に引っ掛かっている。この構成を採用することにより、ケース部材の形状の調整のみで、目的を達成することができる。ケース側斜面４７は途中で傾斜角度が変わる斜面であってもよい。ケース側斜面４７は、断面図で見たときに途中に窪みを有する斜面であってもよい。図１５では、フック部先端部３ｂ２の先端の尖った１点のみがケース側斜面４７に接しているかのように表示されているが、実際には、フック部先端部３ｂ２の先端は丸みを帯びていてもよく、その丸みによってケース側斜面４７に接していてもよい。また、このような断面図で見たときに、フック部先端部３ｂ２は、１点のみでなくある程度の幅を以てケース側斜面４７に接していてもよい。ケース側斜面４７は、完全な平面とは限らず曲面であってもよい。
【００２３】
（実施の形態２）
（構成）
図１６を参照して、本開示に基づく実施の形態２における電子機器について説明する。本実施の形態における電子機器は、基本的構成は、実施の形態１で説明したものと共通するが、以下の点で異なる。
【００２４】
本実施の形態における電子機器では、前記斜面は、フック部先端部３ｂ２が、ケース第１部分４１ｂに対向する箇所に有するフック部側斜面４８であり、フック部先端部３ｂ２とケース第１部分４１ｂとの係合は、ケース第１部分４１ｂがフック部側斜面４８に接触することによって行なわれる。この例では、ケース第１部分４１ｂがフック部側斜面４８に引っ掛かっている。図１６では、ケース第１部分４１ｂの先端の尖った１点のみがフック部側斜面４８に接しているかのように表示されているが、実際には、ケース第１部分４１ｂの先端は丸みを帯びていてもよく、その丸みによってフック部側斜面４８に接していてもよい。また、このような断面図で見たときに、ケース第１部分４１ｂは、１点のみでなくある程度の幅を以てフック部側斜面４８に接していてもよい。フック部側斜面４８は、完全な平面とは限らず曲面であってもよい。
【００２５】
（作用・効果）
本実施の形態においても、実施の形態１と同様に、蓋部３２が完全に閉じている状態では蓋部３２が第１の側９４へ脱落することは防止できる程度に係合状態が保たれる一方、作業者が蓋部３２を開ける際には、相互に係合していた部分は前記斜面によって円滑に逃がされ、係合関係は解除されるので、係合のための突出部分としてのフック部３ｂが引っ掛かりにくく、折れにくい構造とすることができる。
【００２６】
この構成を採用することにより、蓋部に設けられるフック部の形状の調整のみで、目的を達成することができる。フック部側斜面４８は途中で傾斜角度が変わる斜面であってもよい。フック部側斜面４８は、断面図で見たときに途中に窪みを有する斜面であってもよい。
【００２７】
これまで説明してきた各実施の形態に共通して以下のことがいえる。図２および図３に示すように、蓋部３２は、第２の端部に、作業者が蓋部３２を開ける向きの力を加えるための起点部を有することが好ましい。切欠き３８は起点部に該当する。突出部分３２ｂは、蓋部３２の第１の端部にある。この構成を採用することにより、図３および図４に示すように、作業者は第１の端部、すなわち、フック部３ｂがある側の辺を回転軸として蓋部３２を引き起こすように開けることができ、その際に、フック部３ｂにおける係合は斜面によって円滑に解除され、フック部が引っ掛かったり折れたりする事態をなるべく避けることができる。
【００２８】
図２に示した例では、起点部としての切欠き３８は蓋部３２の第２の側９５の端部、すなわち、第２の端部の１ヶ所のみに設けられているが、起点部の数は１ヶ所とは限らない。起点部は２ヶ所以上に設けられていてもよい。同じ側の辺に沿って複数の起点部が設けられていてもよい。異なる側に起点部がそれぞれ設けられていてもよい。図２に示した例では、図中左側の辺にのみ起点部が設けられているが、左右逆の構成としてもよい。図中左右両方の辺に起点部が設けられていてもよい。そのようにすれば、蓋部３２を左右のどちらからでも開けやすくなる。
【００２９】
図２および図３に示すように、蓋部３２は、起点部に切欠き３８を有することが好ましい。この構成を採用することにより、切欠き３８に爪などを引っ掛けることによって蓋部３２を引き起こすことができる。爪に代えてマイナスドライバー、コイン、ペン先などを引っ掛けることを前提としたものであってもよい。ただし、切欠き３８は、手指の爪を引っ掛けることによって蓋部３２を引き起こせるようなサイズとしておけば、素手で蓋部３２を開けやすくなるので、好ましい。このように切欠きそのものに起点部の役割を担わせることとすれば、簡単な構造を以て起点部を実現することができる。図２および図３に切欠き３８として示したのはあくまで一例であって、切欠きの形状はここに示したものには限らない。起点部は、図示した以外の形状の切欠きであってもよい。起点部は、切欠き以外の構造であってもよい。
【００３０】
前記斜面は、第１の端部を支点に第２の端部をケース部材２０から引き離すように蓋部３２を回動させるときに、フック部先端部３ｂ２がケース第１部分４１ｂに対して引っ掛かることなく逃げることができるように配置されていることが好ましい。この構成を採用することにより、作業者は、係合のためのフック部が引っ掛かる感覚をほぼ感じることなく、蓋部を円滑に開けることができる。
【００３１】
前記蓋部本体は、平面視したときに長手方向を有する形状を有し（図３、図９、図１１参照）、前記蓋部本体において前記長手方向に平行な中心線を想定したとき、前記第２の端部は、前記中心線に近づくにつれてケース部材２０から遠ざかるように傾斜する蓋部斜面を含み、フック部３ｂは前記蓋部斜面に配置されており、フック部先端部３ｂ２は前記中心線の側を向くように延在していることが好ましい。この構成を採用することにより、フック部先端部３ｂ２は蓋部斜面の高さが増す側を向いて延在することとなるので、フック部先端部３ｂ２の先端にいくほどフック部先端部３ｂ２と蓋部本体との間が広がることとなり、フック部３ｂは使いやすいものとなる。これにより、フック部先端部３ｂ２を限られたスペース内に有効に配置することができる。
【００３２】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００３３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００３４】
１  電池、３ａ，３ｂ  フック部、３ｂ１  フック部本体、３ｂ２  フック部先端部、４ａ，４ｂ  フック収容部、５  外枠部、１０  収容部、２０  ケース部材、２１  背面ケース部材、２２  正面ケース部材、３１  表示領域、３２  蓋部、３２ａ，３２ｂ  突出部分、３４  撮像部、３５  ボルト、３６  ボルト受け穴、３８  （起点部としての）切欠き、４１ｂ  ケース第１部分、４２ｂ  ケース第２部分、４３ｂ  張出部、４７  ケース側斜面、４８  フック部側斜面、９１，９２，９３  矢印、９４  第１の側、９５  第２の側、１０１  電子機器。
【図１】
0006580923.tif 000002
【図２】
0006580923.tif 000003
【図３】
0006580923.tif 000004
【図４】
0006580923.tif 000005
【図５】
0006580923.tif 000006
【図６】
0006580923.tif 000007
【図７】
0006580923.tif 000008
【図８】
0006580923.tif 000009
【図９】
0006580923.tif 000010
【図１０】
0006580923.tif 000011
【図１１】
0006580923.tif 000012
【図１２】
0006580923.tif 000013
【図１３】
0006580923.tif 000014
【図１４】
0006580923.tif 000015
【図１５】
0006580923.tif 000016
【図１６】
0006580923.tif 000017